(57)【要約】【課題】任意の場所で所定の部位をリアルタイムに撮影することができる放射線検出システムを提供することである。【解決手段】実施形態に係る放射線検出システムは、内部に被検体を収容可能なフレームと、前記フレームに設けられ、放射線を照射可能な放射線発生器と、前記フレームの、前記放射線発生器と対峙する位置に設けられ、入射した前記放射線を画像データ信号に変換可能な放射線検出器と、を備えている。【選択図】図１
2020089432.tif 000002
【特許請求の範囲】
【請求項１】
内部に被検体を収容可能なフレームと、
前記フレームに設けられ、放射線を照射可能な放射線発生器と、
前記フレームの、前記放射線発生器と対峙する位置に設けられ、入射した前記放射線を画像データ信号に変換可能な放射線検出器と、
を備えた放射線検出システム。
【請求項２】
前記フレームの開口部分は、弾性変形が可能である請求項１記載の放射線検出システム。
【請求項３】
前記フレームは、収納された前記被検体の移動に付随して移動可能である請求項１または２に記載の放射線検出システム。
【請求項４】
前記画像データ信号を無線により外部に送信可能なコントローラをさらに備えた請求項１〜３のいずれか１つに記載の放射線検出システム。
【請求項５】
充電および着脱が可能な電源をさらに備えた請求項１〜４のいずれか１つに記載の放射線検出システム。
【請求項６】
複数の放射線画像を構成するための前記画像データ信号を格納可能なメモリをさらに備えた請求項１〜５のいずれか１つに記載の放射線検出システム。
【請求項７】
前記放射線検出器の、前記フレーム側とは反対側に設けられ、前記画像データ信号に基づいて構成された放射線画像を表示可能な表示部をさらに備えた請求項１〜６のいずれか１つに記載の放射線検出システム。
【発明の詳細な説明】
【技術分野】
【０００１】
本発明の実施形態は、放射線検出システムに関する。
【背景技術】
【０００２】
放射線検出器の一種にＸ線検出器がある。  
近年においては、Ｘ線検出器の形態の多様化が進み、その一つの例として、携帯性を向上させたポータブルタイプのＸ線検出器が開発されている。また、ポータブルタイプのＸ線検出器の携帯性をさらに向上させるために、バッテリを内蔵したＸ線検出器も提案されている。
【０００３】
Ｘ線画像を撮影する際には、Ｘ線検出器は撮影室内の撮影台などに固定される。また、撮影室内にはＸ線を発生させるＸ線発生器が設けられ、被検体は、Ｘ線検出器とＸ線発生器との間に配置される。そのため、被検体は撮影室に移動させる必要が生じ、例えば、屋外などの任意の場所で所定の部位をリアルタイムに撮影することができなかった。  
そこで、任意の場所で所定の部位をリアルタイムに撮影することができる放射線検出システムの開発が望まれていた。
【先行技術文献】
【特許文献】
【０００４】
【特許文献１】特開２０１０−２０４１２５号公報
【発明の概要】
【発明が解決しようとする課題】
【０００５】
本発明が解決しようとする課題は、任意の場所で所定の部位をリアルタイムに撮影することができる放射線検出システムを提供することである。
【課題を解決するための手段】
【０００６】
実施形態に係る放射線検出システムは、内部に被検体を収容可能なフレームと、前記フレームに設けられ、放射線を照射可能な放射線発生器と、前記フレームの、前記放射線発生器と対峙する位置に設けられ、入射した前記放射線を画像データ信号に変換可能な放射線検出器と、を備えている。
【図面の簡単な説明】
【０００７】
【図１】本実施の形態に係るＸ線検出システムを例示するための模式斜視図である。
【図２】図１におけるＸ線検出システムをＡ方向から見た模式斜視図である。
【図３】図１におけるＸ線検出システムをＢ方向から見た模式平面図である。
【図４】Ｘ線検出器を例示するための模式斜視図である。
【図５】アレイ基板の回路図である。
【図６】Ｘ線検出器のブロック図である。
【発明を実施するための形態】
【０００８】
以下、図面を参照しつつ、実施の形態について例示をする。なお、各図面中、同様の構成要素には同一の符号を付して詳細な説明は適宜省略する。  
また、本発明の実施形態に係る放射線検出システムは、Ｘ線のほかにもγ線などの各種放射線に適用させることができる。ここでは、一例として、放射線の中の代表的なものとしてＸ線に係る場合を例にとり説明をする。したがって、以下の実施形態の「Ｘ線」を「他の放射線」に置き換えることにより、他の放射線にも適用させることができる。
【０００９】
また、Ｘ線検出システム１００に設けられているＸ線検出器１は、Ｘ線平面センサである。Ｘ線平面センサには、大きく分けて直接変換方式と間接変換方式がある。  
間接変換方式のＸ線検出器には、例えば、複数の光電変換部を有するアレイ基板と、複数の光電変換部の上に設けられＸ線を蛍光（可視光）に変換するシンチレータとが設けられている。間接変換方式のＸ線検出器においては、外部から入射したＸ線はシンチレータにより蛍光に変換される。発生した蛍光は、光電変換部により信号電荷に変換される。  
直接変換方式のＸ線検出器には、例えば、アモルファスセレンなどからなる光電変換膜が設けられている。直接変換方式のＸ線検出器においては、外部から入射したＸ線は、光電変換膜に吸収され、信号電荷に直接変換される。
【００１０】
以下においては、一例として、間接変換方式のＸ線検出器１を例示するが、本発明は直接変換方式のＸ線検出器にも適用することができる。  
すなわち、Ｘ線検出器は、Ｘ線を電気的な情報に変換する検出部を有するものであれば良い。検出部は、例えば、Ｘ線を直接的またはシンチレータと協働して検出するものとすることができる。  
なお、直接変換方式のＸ線検出器の基本的な構成には既知の技術を適用することができるので詳細な説明は省略する。  
また、Ｘ線検出器１は、例えば、一般医療などに用いることができる。ただし、Ｘ線検出器１の用途は、一般医療に限定されるわけではない。
【００１１】
図１は、本実施の形態に係るＸ線検出システム１００を例示するための模式斜視図である。  
図２は、図１におけるＸ線検出システム１００をＡ方向から見た模式斜視図である。  
図３は、図１におけるＸ線検出システム１００をＢ方向から見た模式平面図である。  
図１〜図３に示すように、Ｘ線検出システム１００には、Ｘ線検出器１、表示部１０、電源２０、Ｘ線発生器３０、フレーム４０、およびコントローラ５０が設けられている。
【００１２】
図４は、Ｘ線検出器１を例示するための模式斜視図である。  
図５は、アレイ基板２の回路図である。  
図６は、Ｘ線検出器１のブロック図である。  
図４〜図６に示すように、Ｘ線検出器１には、アレイ基板２、回路基板３、画像処理部４、およびシンチレータ５が設けられている。  
Ｘ線検出器１は、フレーム４０の、Ｘ線発生器３０と対峙する位置に設けることができる。Ｘ線検出器１は、例えば、フレーム４０の外側面に設けることができる。Ｘ線検出器１は、Ｘ線発生器３０から照射され、被検体２００を透過したＸ線を画像データ信号Ｓ２に変換する。
【００１３】
アレイ基板２は、シンチレータ５によりＸ線から変換された蛍光（可視光）を信号電荷に変換する。  
アレイ基板２は、基板２ａ、光電変換部２ｂ、制御ライン（又はゲートライン）２ｃ１、データライン（又はシグナルライン）２ｃ２、および保護層２ｆなどを有する。  
なお、光電変換部２ｂ、制御ライン２ｃ１、およびデータライン２ｃ２などの数は例示をしたものに限定されるわけではない。
【００１４】
基板２ａは、板状を呈し、可撓性を有する材料から形成されている。基板２ａは、例えば、ポリイミド、ポリエステル、炭素繊維強化プラスチック（ＣＦＲＰ；Carbon-Fiber-Reinforced Plastic）などの樹脂から形成することができる。基板２ａの厚みは、例えば、０．７ｍｍ程度とすることができる。
【００１５】
光電変換部２ｂは、基板２ａの一方の面に複数設けられている。  
光電変換部２ｂは、矩形状を呈し、制御ライン２ｃ１とデータライン２ｃ２とにより画された領域に設けられている。複数の光電変換部２ｂは、マトリクス状に並べられている。なお、１つの光電変換部２ｂは、Ｘ線画像の１つの画素（pixel）に対応する。
【００１６】
複数の光電変換部２ｂのそれぞれには、光電変換素子２ｂ１と、スイッチング素子である薄膜トランジスタ（ＴＦＴ；Thin Film Transistor）２ｂ２が設けられている。  
また、図５に示すように、光電変換素子２ｂ１において変換した信号電荷を蓄積する蓄積キャパシタ２ｂ３を設けることができる。蓄積キャパシタ２ｂ３は、例えば、矩形平板状を呈し、各薄膜トランジスタ２ｂ２の下に設けることができる。ただし、光電変換素子２ｂ１の容量によっては、光電変換素子２ｂ１が蓄積キャパシタ２ｂ３を兼ねることができる。
【００１７】
光電変換素子２ｂ１は、例えば、フォトダイオードなどとすることができる。  
薄膜トランジスタ２ｂ２は、蓄積キャパシタ２ｂ３への電荷の蓄積、および蓄積キャパシタ２ｂ３からの電荷の放出のスイッチングを行う。薄膜トランジスタ２ｂ２は、ゲート電極２ｂ２ａ、ドレイン電極２ｂ２ｂ及びソース電極２ｂ２ｃを有している。薄膜トランジスタ２ｂ２のゲート電極２ｂ２ａは、対応する制御ライン２ｃ１と電気的に接続される。薄膜トランジスタ２ｂ２のドレイン電極２ｂ２ｂは、対応するデータライン２ｃ２と電気的に接続される。薄膜トランジスタ２ｂ２のソース電極２ｂ２ｃは、対応する光電変換素子２ｂ１と蓄積キャパシタ２ｂ３とに電気的に接続される。また、光電変換素子２ｂ１のアノード側と蓄積キャパシタ２ｂ３は、グランドに接続される。
【００１８】
制御ライン２ｃ１は、所定の間隔をあけて互いに平行に複数設けられている。制御ライン２ｃ１は、例えば、行方向に延びている。１つの制御ライン２ｃ１は、基板２ａの周縁近傍に設けられた複数の配線パッド２ｄ１のうちの１つと電気的に接続されている。１つの配線パッド２ｄ１には、フレキシブルプリント基板２ｅ１に設けられた複数の配線のうちの１つが電気的に接続されている。フレキシブルプリント基板２ｅ１に設けられた複数の配線の他端は、回路基板３に設けられた読み出し回路３ａとそれぞれ電気的に接続されている。
【００１９】
データライン２ｃ２は、所定の間隔をあけて互いに平行に複数設けられている。データライン２ｃ２は、例えば、行方向に直交する列方向に延びている。１つのデータライン２ｃ２は、基板２ａの周縁近傍に設けられた複数の配線パッド２ｄ２のうちの１つと電気的に接続されている。１つの配線パッド２ｄ２には、フレキシブルプリント基板２ｅ２に設けられた複数の配線のうちの１つが電気的に接続されている。フレキシブルプリント基板２ｅ２に設けられた複数の配線の他端は、回路基板３に設けられた信号検出回路３ｂとそれぞれ電気的に接続されている。  
制御ライン２ｃ１、およびデータライン２ｃ２は、例えば、アルミニウムやクロムなどの低抵抗金属を用いて形成することができる。
【００２０】
保護層２ｆは、光電変換部２ｂ、制御ライン２ｃ１、およびデータライン２ｃ２を覆っている。保護層２ｆは、例えば、酸化物絶縁材料、窒化物絶縁材料、酸窒化物絶縁材料、および樹脂材料の少なくとも１種を含む。
【００２１】
回路基板３は、アレイ基板２の、シンチレータ５が設けられる側とは反対側に設けられている。  
回路基板３には、読み出し回路３ａおよび信号検出回路３ｂが設けられている。  
回路基板３は、可撓性を有する。読み出し回路３ａおよび信号検出回路３ｂは、例えば、可撓性を有する基板の上に形成することができる。可撓性を有する基板は、例えば、ポリイミドやポリエステルなどの樹脂から形成されたフレキシブル基板とすることができる。
【００２２】
読み出し回路３ａは、薄膜トランジスタ２ｂ２のオン状態とオフ状態を切り替える。  
図６に示すように、読み出し回路３ａは、複数のゲートドライバ３ａａと行選択回路３ａｂとを有する。
【００２３】
行選択回路３ａｂには、コントローラ５０などから制御信号Ｓ１が入力される。行選択回路３ａｂは、Ｘ線画像の走査方向に従って、対応するゲートドライバ３ａａに制御信号Ｓ１を入力する。  
ゲートドライバ３ａａは、対応する制御ライン２ｃ１に制御信号Ｓ１を入力する。  
例えば、読み出し回路３ａは、フレキシブルプリント基板２ｅ１を介して、制御信号Ｓ１を各制御ライン２ｃ１毎に順次入力する。制御ライン２ｃ１に入力された制御信号Ｓ１により薄膜トランジスタ２ｂ２がオン状態となり、蓄積キャパシタ２ｂ３からの電荷（画像データ信号Ｓ２）が受信できるようになる。
【００２４】
信号検出回路３ｂは、複数の積分アンプ３ｂａ、複数の選択回路３ｂｂ、および複数のＡＤコンバータ３ｂｃを有している。  
１つの積分アンプ３ｂａは、１つのデータライン２ｃ２と電気的に接続されている。積分アンプ３ｂａは、光電変換部２ｂからの画像データ信号Ｓ２を順次受信する。そして、積分アンプ３ｂａは、一定時間内に流れる電流を積分し、その積分値に対応した電圧を選択回路３ｂｂへ出力する。この様にすれば、所定の時間内にデータライン２ｃ２を流れる電流の値（電荷量）を電圧値に変換することが可能となる。すなわち、積分アンプ３ｂａは、シンチレータ５において発生した蛍光の強弱分布に対応した画像データ情報を、電位情報へと変換する。
【００２５】
選択回路３ｂｂは、読み出しを行う積分アンプ３ｂａを選択し、電位情報へと変換された画像データ信号Ｓ２を順次読み出す。  
ＡＤコンバータ３ｂｃは、読み出された画像データ信号Ｓ２をデジタル信号に順次変換する。デジタル信号に変換された画像データ信号Ｓ２は、画像処理部４に向けて送信される。
【００２６】
画像処理部４は、デジタル信号に変換された画像データ信号Ｓ２に基づいてＸ線画像を構成する。画像処理部４は、回路基板３と一体化されている。すなわち、画像処理部４は、可撓性を有する回路基板３に設けられている。
【００２７】
シンチレータ５は、複数の光電変換素子２ｂ１の上に設けられ、入射するＸ線を蛍光に変換する。シンチレータ５は、基板２ａ上の複数の光電変換部２ｂが設けられた領域（有効画素領域）を覆うように設けられている。  
シンチレータ５は、例えば、ヨウ化セシウム（ＣｓＩ）：タリウム（Ｔｌ）、あるいはヨウ化ナトリウム（ＮａＩ）：タリウム（Ｔｌ）などを用いて形成することができる。この場合、真空蒸着法などを用いて、シンチレータ５を形成すれば、複数の柱状結晶の集合体からなるシンチレータ５が形成される。
【００２８】
また、シンチレータ５は、例えば、テルビウム賦活硫酸化ガドリニウム（Ｇｄ２Ｏ２Ｓ／Ｔｂ、又はＧＯＳ）などを用いて形成することもできる。この場合、複数の光電変換部２ｂごとに四角柱状のシンチレータ５が設けられるように、マトリクス状の溝部を形成することができる。  
シンチレータ５の厚みは、例えば、６００μｍ程度とすることができる。
【００２９】
その他、Ｘ線検出器１には、蛍光の利用効率を高めて感度特性を改善するために、シンチレータ５の表面側（Ｘ線の入射面側）を覆うように図示しない反射層を設けることができる。  
また、空気中に含まれる水蒸気により、シンチレータ５の特性と図示しない反射層の特性が劣化するのを抑制するために、シンチレータ５と図示しない反射層を覆う図示しない防湿体を設けることができる。
【００３０】
ここで、前述したように、アレイ基板（基板２ａ）、回路基板３、および画像処理部４は、可撓性を有している。また、シンチレータ５は、厚みが薄いので湾曲させることができる。そのため、Ｘ線検出器１は、フレーム４０の外側面に倣わせて湾曲させることができる。Ｘ線検出器１は、例えば、フレーム４０の外側面に接着したり、溶着したり、ネジなどを用いて固定したりすることができる。また、Ｘ線検出器１は、例えば、フレーム４０に埋め込むこともできる。
【００３１】
図１〜図３に示すように、表示部１０は、Ｘ線検出器１の、フレーム４０側とは反対側に設けることができる。Ｘ線発生器３０から照射されたＸ線の大部分は、シンチレータ５により蛍光に変換される。そのため、表示部１０が、Ｘ線検出器１の、フレーム４０側とは反対側に設けられていれば、Ｘ線が表示部１０に入射するのを抑制することができる。なお、必要に応じて、表示部１０とＸ線検出器１の間に鉛を含む遮蔽板などを設けることもできる。
【００３２】
表示部１０は、画像データ信号Ｓ２に基づいて構成されたＸ線画像を表示する。表示部１０は、可撓性を有するディスプレイとすることができる。表示部１０は、例えば、電子ペーパー型ディスプレイや有機エレクトロルミネッセンス型ディスプレイなどとすることができる。表示部１０は、Ｘ線検出器１に固定したり、フレーム４０に固定したり、Ｘ線検出器１と共にフレーム４０に固定したりすることができる。
【００３３】
電源２０は、例えば、フレーム４０の外側面に設けることができる。電源２０は、例えば、フレーム４０に埋め込むこともできる。電源２０は、回路基板３、画像処理部４、表示部１０、およびＸ線発生器３０と電気的に接続されている。電源２０は、例えば、リチウムイオン電池などの充電が可能な二次電池を有するものとすることができる。  
また、電源２０は、フレーム４０に対して着脱可能に設けることもできる。例えば、電源２０は、ラッチ機構などの機械的な保持手段、磁石などの保持手段などにより、フレーム４０の外側面などに着脱可能に設けることができる。すなわち、電源２０は、充電および着脱が可能なものとすることができる。  
また、電源２０は、Ｘ線発生器３０に設けることもできる。この様にすれば、Ｘ線が電源２０に入射するのを抑制することができる。
【００３４】
Ｘ線発生器３０は、例えば、フレーム４０の外側面に設けることができる。Ｘ線発生器３０は、Ｘ線検出器１と対峙させて設けることができる。Ｘ線発生器３０は、Ｘ線を発生させる。Ｘ線発生器３０は、例えば、Ｘ線を発生させる真空管とすることができる。図３に示すように、Ｘ線発生器３０から照射されたＸ線は、被検体２００を透過した後にＸ線検出器１に入射する。Ｘ線検出器１は、被検体２００を透過したＸ線を検出し、Ｘ線画像を構成する。
【００３５】
Ｘ線発生器３０は、例えば、フィラメント、ターゲット、および高圧回路を有するものとすることができる。フィラメントは、例えば、タングステンなどから形成され、高圧回路のマイナス側に電気的に接続されている。ターゲットは、例えば、銅、タングステン、モリブデンなどから形成され、高圧回路のプラス側に電気的に接続されている。高圧回路には電源２０が電気的に接続される。
【００３６】
フィラメントおよびターゲットには、Ｘ線の照射に必要な電力（管電流、管電圧）が高圧回路から供給される。Ｘ線発生器３０は、フィラメントにおいて電子を発生させ、供給された高電圧により加速させた電子をターゲットに衝突させることで、有効視野領域内にある被検体２００に向けてＸ線を照射する。なお、Ｘ線発生器３０とＸ線検出器１との間には、Ｘ線発生器３０から照射されたＸ線ビームの形状を整形するコリメータを設けることもできる。
【００３７】
フレーム４０は、筒状を呈し、例えば、中心軸方向の両側の端部４０ｂ、４０ｃが開口したものとすることができる。被検体２００は、例えば、フレーム４０の一方の端部４０ｂ側からフレーム４０の内部に収納することができる。この場合、被検体２００における撮影箇所は、Ｘ線検出器１の中心とＸ線発生器３０の中心とを結ぶ線分の近傍に位置するようにされる。なお、２つの開口が設けられる場合を例示したが、開口は少なくとも１つ設けられていればよい。フレーム４０は、内部に被検体２００を収容可能なものであれば良い。
被検体２００は、フレーム４０の内部に挿入可能なものであれば特に限定はない。被検体２００は、例えば、人体の腕、手、脚、胴体などとしたり、配管やタンクなどとしたりすることができる。ただし、被検体２００は例示をしたものに限定されるわけではない。  フレーム４０は、収納された被検体２００の移動に付随して移動することができる。
【００３８】
フレーム４０の開口部分は、弾性変形が可能とすることができる。この場合、フレーム４０の外側面には、スリット４０ａを設けることができる。スリット４０ａは、フレーム４０の、中心軸方向の一方の端部４０ｂと他方の端部４０ｃとの間を延びている。すなわち、フレーム４０の外側面は、１箇所切断されている。この様にすれば、中心軸に直交する方向において、フレーム４０が変形し易くなる。そのため、被検体２００の断面寸法が多少大きな場合であっても、被検体２００をフレーム４０の内部に挿入することが可能となる。
【００３９】
フレーム４０の材料は、例えば、ポリフェニレンサルファイド樹脂、ポリカーボネイト樹脂、炭素繊維強化プラスチックなどの樹脂とすることができる。この様にすれば、Ｘ線がフレーム４０を透過するので、Ｘ線発生器３０とＸ線検出器１をフレーム４０の外側面に設けるのが容易となる。また、フレーム４０を布などの可撓性を有する材料から形成し、必要に応じて、Ｘ線検出器１、表示部１０、電源２０、およびＸ線発生器３０との間に補強板を設けることもできる。
【００４０】
また、スリット４０ａの近傍には保持部４１を設けることもできる。保持部４１は、例えば、フック面とループ面を有する面ファスナーなどとすることができる。保持部４１が設けられていれば、スリット４０ａの近傍同士を接続することができる。そのため、フレーム４０の内面の少なくとも一部を被検体２００に接触させることが容易となるので、撮影中に被検体２００の位置がズレるのを抑制することができる。なお、保持部４１は面ファスナーに限定されるわけではなく、例えば、磁石、電磁石、バンドなどであってもよい。
また、フレーム４０を分割し、ヒンジ４２などで連結することもできる。この様にすれば、フレーム４０の内部に被検体２００を収納するのが容易となる。
【００４１】
コントローラ５０は、Ｘ線発生器３０の、フレーム４０側とは反対側に設けることができる。この様にすれば、コントローラ５０に設けられる電子部品にＸ線が入射するのを抑制することができる。なお、電源２０、Ｘ線発生器３０、およびコントローラ５０を一体化することもできる。
【００４２】
コントローラ５０は、Ｘ線検出器１、表示部１０、電源２０、およびＸ線発生器３０の動作を制御する。  
コントローラ５０には、演算素子５１、メモリ５２、入力部５３、インジケータ５４を設けることができる。
【００４３】
演算素子５１は、例えば、ＣＰＵ（Central Processing Unit）などとすることができる。  
メモリ５２は、例えば、半導体メモリなどとすることができる。メモリ５２には、Ｘ線検出器１、表示部１０、電源２０、およびＸ線発生器３０の動作を制御するためのプログラムを格納することができる。また、メモリ５２は、例えば、複数のＸ線画像を構成するための画像データ信号Ｓ２を一時的に格納することもできる。
演算素子５１は、メモリ５２に格納されているプログラムと、入力部５３から入力された情報とに基づいて、Ｘ線検出器１、表示部１０、電源２０、およびＸ線発生器３０の動作を制御することができる。演算素子５１は、動作の状態などをインジケータ５４に表示することができる。
【００４４】
入力部５３は、例えば、電源２０のＯＮ／ＯＦＦ、撮影の開始、撮影モードの切り替えなどを入力するためのスイッチとすることができる。  
インジケータ５４は、例えば、電源２０の状態、撮影の状態、撮影モード、異常表示などを表示することができる。インジケータ５４は、例えば、液晶パネルなどとすることができる。  
なお、入力部５３およびインジケータ５４は、表示部１０に設けることもできる。例えば、表示部１０にタッチパネルなどを設けて入力部５３とすることができる。また、インジケータ５４に表示する情報を表示部１０に表示することができる。
【００４５】
また、コントローラ５０は、送信機を備え、画像データ信号Ｓ２を無線により外部に送信するようにしてもよい。画像データ信号Ｓ２を無線により外部に送信する場合には、画像処理部４、表示部１０などを省くこともできる。
また、コントローラ５０は、受信機を備え、外部からの入力信号を受信できるようにしてもよい。外部からの入力信号を受信する場合には、入力部５３、インジケータ５４などを省くこともできる。
【００４６】
次に、Ｘ線検出システム１００の作用、すなわち、Ｘ線画像の撮影について説明する。  まず、フレーム４０の内部に被検体２００を収納する。この際、被検体２００における撮影箇所が、Ｘ線検出器１の中心とＸ線発生器３０の中心とを結ぶ線分の近傍に位置するようにする。  
次に、入力部５３から電源２０をＯＮ状態とする情報を入力し、必要に応じて撮影モードなどの情報も入力する。  
次に、入力部５３から撮影の開始の情報を入力する。
【００４７】
演算素子５１は、メモリ５２に格納されているプログラムに基づいてＸ線発生器３０およびＸ線検出器１の動作を制御してＸ線画像を撮影する。  
例えば、まず、Ｘ線発生器３０にＸ線を照射させる。Ｘ線の照射は、所定の時間の経過後に停止される。  
Ｘ線を照射させた後、所定の時間の経過後に、Ｘ線検出器１にＸ線画像を構成させる。Ｘ線画像の構成には既知の技術を適用することができるので、詳細な説明は省略する。  
構成されたＸ線画像は表示部１０に表示される。なお、構成されたＸ線画像は静止画とすることもできるし、動画とすることもできる。
【００４８】
本実施の形態に係るＸ線検出システム１００によれば、フレーム４０の内部に被検体２００を収納するだけで所定の部位を容易に撮影することができる。すなわち、Ｘ線検出システム１００によれば、任意の場所で所定の部位をリアルタイムに撮影することができる。例えば、医療などにおいてＸ線画像を撮影する場合には、緊急を要したり、電源などの設備がない場合がある。例えば、事故現場や救急車の車内などにおいては、Ｘ線画像を撮影することが困難である。しかしながら、Ｘ線検出システム１００によれば、これらの状況下においてもＸ線画像を容易に撮影することができる。そして、撮影されたＸ線画像に基づいて離れた場所にいる医師などの診断を仰ぐことが可能となる。
【００４９】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５０】
１  Ｘ線検出器、１０  表示部、２０  電源、３０  Ｘ線発生器、４０  フレーム、４０ｂ  開口、４０ｃ  開口、５０  コントローラ、５２  メモリ、１００  Ｘ線検出システム
【図１】
2020089432.tif 000003
【図２】
2020089432.tif 000004
【図３】
2020089432.tif 000005
【図４】
2020089432.tif 000006
【図５】
2020089432.tif 000007
【図６】
2020089432.tif 000008